(57)【要約】【課題】電話帳データの検索結果として、長期間使用していない電話帳データを非表示とすることにより検索結果の一覧性を向上し、検索を容易にする装置及び方法の提供。【解決手段】発着信時、電話帳データ（８）の発着信日記憶領域（１１）に発着信が行われた日時を記憶し、電話帳の検索時、各電話帳データ（８）の発着信日記憶領域に記憶されている日時が、基準となる日時以前である場合、当該電話帳データは、長期間使用されていないデータとして表示を行わず、検索結果から削除し、検索結果として表示される電話帳データの件数を削減し、又は発着信日記憶領域に記憶されている日時が基準となる日時以前の場合のみ検索結果として表示することにより、長期間使用されていない電話帳データのみを表示し、不要な電話帳データの削除等の電話帳データの整理を容易にする。【選択図】図１
2004357142.tif 000002
【特許請求の範囲】
【請求項１】
電話帳データとして、通信相手の電話番号及び／又は名前情報と、着信又は発信が行われた日時情報と、を通信相手ごとに記憶保持する記憶装置と、
着信又は発信が行われた際、前記記憶装置における、前記着信又は発信の通信相手に対応する電話帳データの日時情報として、前記着信又は発信が行われた日時情報を格納する手段と、
ユーザにより電話帳を検索する所定の操作が入力装置から行われた際に、
前記記憶装置に記憶されている電話帳データのうち、着信又は発信が行われた最も最近の日時が、所定の基準日時以前である電話帳データについては、検索結果から外し検索結果として出力せず、着信又は発信が行われた最も最近の日時が、前記基準日時よりも後の電話帳データを出力装置に出力する、ように制御する手段を備えている、ことを特徴とする通信端末装置。
【請求項２】
電話帳データとして、通信相手の電話番号及び／又は名前情報と、着信又は発信が行われた日時情報と、を通信相手ごとに記憶保持する記憶装置と、
着信又は発信が行われた際、前記記憶装置における、前記着信又は発信の通信相手に対応する電話帳データの日時情報として、前記着信又は発信が行われた日時情報を格納する手段と、
ユーザにより電話帳を検索する所定の操作が入力装置から行われた際に、
前記記憶装置に記憶されている電話帳データのうち、着信又は発信が行われた最も最近の日時が、所定の基準日時より後の電話帳データについては、検索結果から外し検索結果として出力せず、着信又は発信が行われた最も最近の日時が、前記基準日時以前の電話帳データを出力装置に出力する、ように制御する手段を備えている、ことを特徴とする通信端末装置。
【請求項３】
電話帳を検索において、前記ユーザにより所定の検索条件が設定されている場合には、前記着信又は発信が行われた最も最近の日時に関して出力候補となる電話帳データのうち、前記検索条件を満たすものを選択して前記出力装置に出力する手段を備えている、ことを特徴とする請求項１又は２記載の通信端末装置。
【請求項４】
前記基準日時以前の電話帳データが前記出力装置に出力された後、ユーザにより削除操作が前記入力装置を介して選択された場合、前記記憶装置から、前記基準日時以前の電話帳データを削除する手段を備えている、ことを特徴とする請求項２記載の通信端末装置。
【請求項５】
前記基準日時は、
前記電話帳の検索が実行された日付及び／又は時刻から、予め定められた所定の日数及び／又は時間だけ遡った日時とするか、もしくは、
ユーザが、前記入力装置より、前記基準日時となる日付を入力するか、もしくは、
ユーザが、前記入力装置より、検索を実行する日時から遡る日数及び／又は時間を入力する、ことにより設定される、ことを特徴とする請求項１乃至３のいずれか一に記載の通信端末装置。
【請求項６】
ユーザの所定の操作によって、前記基準日時を無効とし、電話帳データにおける日時情報と基準日時の比較を行わずに、ユーザが設定した検索条件に一致した全ての電話帳データを検索結果として出力するように制御する手段を備えている、ことを特徴とする請求項１乃至３のいずれか一に記載の通信端末装置。
【請求項７】
通信相手の電話番号及び／又は名前情報と、着信又は発信が行われた最も最近の日時情報と、を通信相手ごとに電話帳データとして記憶保持する記憶装置と、着信又は発信が行われた際、前記記憶装置における、前記着信又は発信の通信相手に対応する電話帳データの日時情報として、前記着信又は発信が行われた日時情報を格納する手段と、
ユーザにより電話帳を検索する所定の操作が入力装置から行われた際に、前記ユーザにより設定されたモードに応じて、
前記記憶装置に記憶されている電話帳データのうち、着信又は発信が行われた最も最近の日時が、所定の基準日時以前である電話帳データについては、検索結果から外し検索結果として出力せず、着信又は発信が行われた最も最近の日時が、前記基準日時よりも後の電話帳データを出力装置に出力するか、又は、
前記記憶装置に記憶されている電話帳データのうち、着信又は発信が行われた最も最近の日時が、所定の基準日時より後の電話帳データについては、検索結果から外し検索結果として出力せず、着信又は発信が行われた最も最近の日時が、前記基準日時以前の電話帳データを出力装置に出力する、制御を行う手段を備えている、ことを特徴とする通信端末装置。
【請求項８】
請求項１乃至７のいずれか一に記載の前記通信端末装置が、携帯電話機である、ことを特徴とする通信端末装置。
【請求項９】
着信又は発信が行われた際、記憶装置に記憶される通信相手ごとの電話帳データの発着信日記憶領域に、前記着信又は発信が行われた日時情報を記憶するステップと、
ユーザにより電話帳の検索が指示された場合、前記記憶装置を検索し、電話帳データの前記発着信日記憶領域に記憶されている日時が、所定の基準日時以前である場合、前記電話帳データは検索結果として出力装置に出力せず、前記電話帳データの前記発着信日記憶領域に記憶されている日時が、前記基準日時よりも後の電話帳データを前記出力装置に出力するように制御するステップと、を含む、ことを特徴とする通信端末装置の制御方法。
【請求項１０】
着信又は発信が行われた際、記憶装置に記憶される通信相手ごとの電話帳データの発着信日記憶領域に、前記着信又は発信が行われた日時情報を記憶するステップと、
ユーザにより電話帳の検索が指示された場合、前記記憶装置を検索し、電話帳データの前記発着信日記憶領域に記憶されている日時が、所定の基準日時よりも後の場合、前記電話帳データは検索結果として出力装置に出力せず、前記電話帳データの前記発着信日記憶領域に記憶されている日時が、前記基準日時以前の電話帳データを前記出力装置に出力するように制御するステップと、を含む、ことを特徴とする通信端末装置の制御方法。
【請求項１１】
前記電話帳の検索において、前記ユーザにより所定の検索条件が設定されている場合には、前記電話帳データの前記発着信日記憶領域に記憶されている日時に関して出力候補となる電話帳データのうち、前記検索条件を満たすものを選択して前記出力装置に出力するステップを含む、ことを特徴とする請求項９又は１０記載の通信端末装置の制御方法。
【請求項１２】
前記基準日時以前の電話帳データが前記出力装置に出力された後、ユーザにより削除操作が前記入力装置を介して選択された場合、
前記記憶装置から、前記基準日時以前の電話帳データを削除するステップを含む、ことを特徴とする請求項１０記載の通信端末装置の制御方法。
【請求項１３】
前記基準日時は、
前記電話帳の検索が実行された日付及び／又は時刻から、予め定められた所定の日数及び／又は時間だけ遡った日時とするか、もしくは、
ユーザが、前記入力装置より、基準日時となる日付を入力するか、もしくは、、
ユーザが、前記入力装置より、検索を実行する日時から遡る日数及び／又は時間を入力する、ことにより、設定される、ことを特徴とする請求項９乃至１１のいずれか一に記載の通信端末装置の制御方法。
【請求項１４】
ユーザの操作によっては、基準日時を無効とし、電話帳データにおける日時情報と基準日時の比較を行わずに、ユーザが設定した検索条件に一致した全ての電話帳データを検索結果として出力するように制御するステップを含む、ことを特徴とする請求項９乃至１１のいずれか一に記載の通信端末装置の制御方法。
【請求項１５】
着信又は発信が行われた際、記憶装置に記憶される通信相手ごとの電話帳データの発着信日記憶領域に、前記着信又は発信が行われた日時情報を記憶するステップを有し、
ユーザにより電話帳の検索が指示された場合、
前記記憶装置を検索し、電話帳データの前記発着信日記憶領域に記憶されている日時が、基準日時以前である場合、前記電話帳データは検索結果として出力装置に出力せず、前記電話帳データの前記発着信日記憶領域に記憶されている日時が前記基準日時よりも後の電話帳データを前記出力装置に出力するように制御するステップと、
前記記憶装置を検索し、前記記憶装置を検索し、電話帳データの前記発着信日記憶領域に記憶されている日時が、基準日時よりも後の場合、前記電話帳データは検索結果として出力装置に出力せず、前記電話帳データの前記発着信日記憶領域に記憶されている日時が前記基準日時以前の電話帳データを前記出力装置に出力するように制御するステップの、いずれか一方を選択自在に実行するステップと、を含む、ことを特徴とする通信端末装置の制御方法。
【請求項１６】
請求項９乃至１５のいずれか一に記載の前記通信端末装置が、携帯電話機である、ことを特徴とする通信端末装置の制御方法。
【発明の詳細な説明】
【０００１】
【発明の属する技術分野】
本発明は、電話通信機能を具備する通信端末装置に関し、特に、該通信端末装置の電話帳検索技術に関する。
【０００２】
【従来の技術】
従来、移動体通信システムにおいて基地局と無線リンクを介して通信接続する通信端末装置（「携帯電話機」という）において、通信相手の名前や電話番号を電話帳に登録するとともに、名前や電話番号から、目的の電話帳データを検索する機能が実装されている。
【０００３】
図７は、従来の携帯電話機における典型的な電話帳検索の例を、携帯電話機の液晶ディスプレイ等の表示装置の表示画面の推移で示した図である。携帯電話機のユーザが、検索条件の入力画面（画面１１参照）より、検索条件を入力し（名前が「あ」で始まる）、検索を実行すると、検索条件に一致したデータを持つ電話帳データが検索結果として表示される（画面１２参照）。画面１２の「ページ１／３」は、検索結果の画面が３ページあり、このうちの１ページ目が表示されていることを表している。
【０００４】
この時、検索結果の件数が多く、１画面内に表示できない場合、ページ切替により、検索結果の表示を切り替える（画面１３参照）。画面１３の「ページ２／３」は、２ページ目が表示されていることを表している。
【０００５】
なお、電話帳検索機能に関連する文献として次のような刊行物がある。電話帳の検索結果の絞り込みを行う携帯電話機として、検索結果の絞りこまれた情報を、ユーザにより指定された順に、ディスプレイに表示すると同時に、検索によって絞り込まれた案件の総案件数と、連続番号を表示する携帯電話機の検索電話番号表示方法と装置が知られている（例えば特許文献１）。
【０００６】
また、メモリに記憶されているアドレス情報に対して時間帯等に応じて優先情報を付加し、ユーザによってアドレス情報の読み出し要求がなされた場合、該優先情報に基づいて、優先度の高いものから順にアドレス情報を読み出し、ディスプレイに表示される携帯情報端末も知られている（例えば特許文献２）。
【０００７】
さらに、発着信時に、電話番号以外の情報として、着信頻度、発信頻度の高いもの、当該電話端末からの発信時に相手加入者が応答したか、無応答か、又は回線使用中であったかを考慮して電話番号の優先順位を検出し、再発呼時の検索効率を向上させる装置として、発着信時に通信相手の電話番号・名前を検出し、応答・無応答又は話中かを、通話履歴として記録し、該記録に基づいて電話帳を作成する電話帳作成手段と、電話帳を記憶する記憶部と、通話履歴の記録情報を検索して特定の順位にしたがって情報を読み出し、画像表示手段と電話帳作成手段に転送する情報制御部を備えた構成も知られている（例えば特許文献３）。
【０００８】
そして、電話帳に登録されている電話番号対応に発着信回数をカウントアップするエリアを備え、発信時に、発着信回数の多い順にソートし、頻繁に電話をかける相手の検索を容易に行えるようにした端末も知られている（例えば特許文献４）。
【０００９】
【特許文献１】
特開２００１−２８５４５０号公報（第３頁、第２図）
【特許文献２】
特開２００２−３００２６３号公報（第４頁、第３図）
【特許文献３】
特開平５−９５３９６公報（第２−３頁、第１図）
【特許文献４】
特開２０００−２７８３９２号公報（第３−４頁、第５図）
【００１０】
【発明が解決しようとする課題】
しかしながら、図７を参照して説明した、従来の携帯電話機の電話帳検索機能には、次のような問題点がある。
【００１１】
すなわち、携帯電話機において、電話帳データを検索する際、検索の条件によっては、多数の電話帳データが検索結果として表示され、利用者（ユーザ）は、多数の検索結果の中から、目的の電話帳データを探さなければならず、検索が容易でない。長期間使用していない電話帳データも検索結果の対象と表示されるためである。
【００１２】
検索結果が多い時は、画面上に全ての検索結果を表示できない。このため、一覧性が悪く、ユーザは、携帯電話機において、ページを切り替える等の操作を行う必要がある。さらに、使用していない電話帳データも検索結果として表示されるため、検索結果の件数が増加し、目的とする電話帳データの発見を困難にしている。
【００１３】
したがって、本発明の目的は、電話帳データの検索結果として、長期間使用していない電話帳データを非表示とすることにより、検索結果の一覧性を向上し、検索を容易にする装置及び方法を提供することにある。
【００１４】
【課題を解決するための手段】
前記目的を達成する本発明は、通信相手の電話番号及び名前等のデータを登録することができる電話帳の機能を有する通信端末装置において、各電話番号のデータに対し発着信した日時を記憶し、電話帳検索の際に、表示モードの選択により、長期間発着信が行われていない電話帳データを検索結果の画面において非表示とする、あるいは長期間発着信が行われていない電話帳データのみを表示することにより、検索結果を減少させ、検索結果の一覧性を改善し、電話帳の検索を容易化している。
【００１５】
本発明の１つのアスペクトに係る装置は、好ましくは、電話帳データとして、通信相手の電話番号及び／又は名前情報と、着信又は発信が行われた日時情報と、を通信相手ごとに記憶保持する記憶装置と、着信又は発信が行われた際、前記記憶装置における、前記着信又は発信の通信相手に対応する電話帳データの日時情報として、前記着信又は発信が行われた日時情報を格納する手段と、ユーザにより電話帳を検索する所定の操作が入力装置から行われた際に、前記記憶装置に記憶されている電話帳データのうち、着信又は発信が行われた最も最近の日時が基準日時以前である電話帳データについては、検索結果から外し検索結果として出力せず、着信又は発信が行われた最も最近の日時が、前記基準日時よりも後の電話帳データを出力装置に出力する、ように制御する手段を備えている。
【００１６】
また本発明の１つのアスペクトに係る装置は、電話帳データとして、通信相手の電話番号及び／又は名前情報と、着信又は発信が行われた日時情報と、を通信相手ごとに記憶保持する記憶装置と、着信又は発信が行われた際、前記記憶装置における、前記着信又は発信の通信相手に対応する電話帳データの日時情報として、前記着信又は発信が行われた日時情報を格納する手段と、ユーザにより電話帳を検索する所定の操作が入力装置から行われた際に、前記記憶装置に記憶されている電話帳データのうち、着信又は発信が行われた最も最近の日時が、基準日時より後の電話帳データについては、検索結果から外し検索結果として出力せず、着信又は発信が行われた最も最近の日時が、前記基準日時以前の電話帳データを出力装置に出力する、ように制御するような構成としてもよい。
【００１７】
【発明の実施の形態】
本発明の実施の形態について説明する。本発明の実施の形態に係る移動体端末装置は、図１を参照すると、図示されない無線基地局と無線リンクを介して通信を行う移動通信端末装置（携帯電話機、ＰＨＳ（パーソナルハンディフォンシステム）等）の通信装置（３）により、着信又は発信が行われた際、通信相手の情報が電話帳に登録されている場合、対応する電話帳データ（８）の発着信日記憶領域（１１）に、着信又は発信が行われた日時を記憶する。電話帳データ（８）の発着信日記憶領域（１１）には、過去に行われた発信又は着信のうち、最も最近（ｍｏｓｔ  ｒｅｃｅｎｔ）に行われた発信又は着信の日時情報が記憶される。
【００１８】
電話帳を検索する際、電話帳処理手段（４）は、各電話帳データ（８）に記憶されている情報が、検索条件に一致するか比較するとともに、発着信日記憶領域（１１）に記憶されている日時を取得する。
【００１９】
発着信日記憶領域（１１）に記憶されている日時が、基準となる日時（「基準日時」という）以前である場合、当該電話帳データは、長期間使用されていないデータとして、検索条件に一致していても、検索結果として、表示を行わない。このようにして、長期間使用されていない電話帳データを、検索結果から削除し、検索結果として表示される電話帳データの件数を削減することにより、検索を容易にする。
【００２０】
または、発着信日記憶領域（１１）に記憶されている日時が基準となる日時以前の場合のみ、検索結果として表示することにより、長期間使用されていない電話帳データのみを表示する。このようにして、長期間使用されていない電話帳データのみを検索することで、不要な電話帳データの削除等の電話帳データの整理を容易にする。
【００２１】
【実施例】
上記した実施の形態についてさらに詳細に説明すべく、具体的な実施例に即して図面を参照して説明する。図１は、本発明の一実施例の構成を示す図である。図１を参照すると、本発明の一実施例に係る携帯電話機は、キーボード等の入力装置１と、ＬＣＤ（液晶デバイス）よりなるディスプレイ装置等の出力装置２と、発着信等の通信を行う通信装置３と、プログラム制御により動作するデータ処理装置（ＣＰＵ）６と、半導体メモリよりなるデータ記憶装置（ストレージ装置）７とを含む。
【００２２】
データ処理装置６は、電話帳の登録、表示、検索等の制御を行う電話帳処理手段４と、発信及び着信の制御を行う通信処理手段５と、現在の日付（年／月／日）、時間情報（時／分／秒）を出力する時計１２を含む。
【００２３】
データ記憶装置７は、電話帳として保存されている複数の電話帳データ８を含む。電話帳データ８として、電話番号記憶領域９と、名前記憶領域１０と、前回発着信が行われた日付を記憶する発着信日記憶領域１１とが設けられている。電話帳データ８は、通信相手に対して設けられる。
【００２４】
次に、図１に示した本実施例の全体の動作について詳細に説明する。
【００２５】
図２は、本実施例に係る携帯電話機における着信時の動作を説明するための流れ図である。図１及び図２を参照して、本実施例における着信時の動作を以下に説明する。
【００２６】
通信装置３にて、着信時、通信処理手段５にて、着信処理を行う（ステップＡ１）。
【００２７】
着信後、通信処理手段５より、着信した呼の電話番号（発信者側の電話番号）が電話帳処理手段４に通知される（ステップＡ２）。
【００２８】
電話帳処理手段４にて着信した電話番号が、電話帳データ８として記憶されているか検索を行う（ステップＡ３）。
【００２９】
着信した電話番号に対応する電話帳データ８が見つかった場合、電話帳データ８の発着信日記憶領域１１に着信が行われた日時を記憶する（ステップＡ４）。着信が行われた日時情報は、時計（クロック）１２から取得される。日時情報（タイムスタンプ）として、年／月／日、時刻（時／分／秒）のうち、例えば、分、秒の情報は、場合によっては記憶領域削減のため、データ記憶装置７に格納しなくてもよい。
【００３０】
携帯電話機から発信した際も、同様にして、発信時の日時情報を対応する電話帳データ８の発着信日記憶領域１１に保存する。電話帳データ８の発着信日記憶領域１１には、電話帳データ８の電話番号で発着信した日時情報が、発着信のたびに上書きにより更新されるため、最も最近（ｍｏｓｔ  ｒｅｃｅｎｔ）の日時情報が格納される。
【００３１】
また、着信した電話番号に対応する電話帳データ８が見つからず、電話帳データ８を新たに登録した場合にも、当該電話番号に対応する電話帳データ８の発着信日記憶領域１１に、着信した日時を保存する。
【００３２】
図３は、本実施例における電話帳の検索動作を説明するための流れ図である。
図１及び図３を参照して、本実施例における電話帳の検索動作を以下に説明する。
【００３３】
電話帳（データ記憶装置７）から目的の電話帳データ８を検索する際、入力装置１より検索条件を入力する（ステップＡ５）。
【００３４】
電話帳処理手段４では、検索条件が入力されると、始めに件数カウンタｉの値を１に設定し（ステップＡ６）、第ｉ番目の電話帳データ８のデータをデータ記憶装置７から取得する（ステップＡ７）。
【００３５】
電話帳処理手段４にて、取得した電話帳データ８が検索条件に一致するか比較判定し（ステップＡ８）、条件が一致する場合には、さらに、電話帳データ８の発着信日記憶領域１１に保存されている日時が、基準日以前であるか否か判定する（ステップＡ９）。
【００３６】
電話帳データ８の発着信日記憶領域１１に保存されている日時が、長期使用されていないかの判定の値となる、基準日時以前でない場合には、対象の電話帳データ８を検索結果として設定する（ステップＡ１０）。
【００３７】
電話帳データ８が検索条件に一致しない場合、又は、検索条件に一致した場合でも、電話帳データ８の発着信日記憶領域１１の日時が、基準日時以前である場合には、対象の電話帳データ８を検索結果としない。
【００３８】
その後、件数カウンタｉの値を１増加させ（ステップＡ１１）、件数カウンタｉの値がデータ記憶装置７に保存されている電話帳データ８の件数を超えるまで検索を繰り返す（ステップＡ１２）。
【００３９】
全ての電話帳データ８に対して検索が行われた後、出力装置２に検索結果を表示する（ステップＡ１３）。
【００４０】
本実施例では、電話帳データ８の発着信日記憶領域１１の日付と比較される基準日時は、検索が実行されている日付及び／又は時刻（時計１２の出力）から、予め定められた所定の日数及び時間だけ遡った日時を、電話帳処理手段４で計算することにより、自動的に、求めている。
【００４１】
あるいは、携帯電話機のユーザが、基準日時となる日付を入力装置１から、直接入力してもよい。あるいは、携帯電話機のユーザが、検索を実行する日時から遡る日数、時間を、入力装置１から入力することにより設定するようにしてもよい。
【００４２】
また、ユーザの操作によっては、基準日時を無効とし、電話帳データ８の発着信日記憶領域１１の日付の比較を行わずに、検索条件に一致した全ての電話帳データ８を検索結果とするようなモードを具備してもよい。
【００４３】
図４は、本発明の一実施例の携帯電話機における電話帳の検索結果の表示画面の推移の例を模式的に示す図である。
【００４４】
検索条件の入力画面（画面１）より、ユーザが入力装置１から検索の条件を入力し、検索を実行する。検索条件は、名前のはじめの文字を「あ」としている。検索結果が表示される（画面２）。
【００４５】
この画面２では、発着信日記憶領域１１に保存されている日時を基に、長期間使用されていない電話帳データ８は表示されない。
【００４６】
ユーザは、検索結果に対して、各種操作を行うための機能メニュー画面を表示させ（画面３）、再検索を実行すると（画面３の「６．再検索」を選択）、発着信日記憶領域１１の日付と比較する基準日時を無効として、再度検索を行い、長期間使用していない電話帳データ８も含めた検索結果が画面に表示される（画面４）。
【００４７】
これにより、１回目の検索では、検索条件に一致する電話帳データ８の中から、長期間使用されていない電話帳データ８を除いた少数の検索結果を表示し、２回目の検索により、長期間使用されていない電話帳データ８を含めた全ての検索条件に一致する電話帳データ８を表示する。
【００４８】
次に、本発明の他の実施例について図面を参照して詳細に説明する。図５は、本発明の第２の実施例の動作を説明するための流れ図である。本発明の第２の実施例の装置構成は、図１に示したものと同様とされる。図１及び図５を参照して、本発明の第２の実施例における電話帳検索の動作を説明する。
【００４９】
図５を参照すると、電話帳を検索する際、各電話帳データ８に対し、検索条件に一致するか比較を行う（ステップＡ１４）。
【００５０】
電話帳データ８に記憶されているデータが検索条件に一致する場合、発着信日記憶領域１１に保存されている日時が基準日時以前であるか比較する（ステップＡ１５）。
【００５１】
電話帳データ８の発着信日記憶領域１１に保存されている日時が基準日時以前の場合、対象の電話帳データ８を検索結果として設定する（ステップＡ１６）。
これにより、長期間使用されていない電話帳データ８のみを検索結果として表示する。
【００５２】
図６は、本発明の第２の実施例の携帯電話機において、長期間使用されていない電話帳データ８に対する検索時の表示画面の推移の例を模式的に示す図である。
【００５３】
検索条件の入力画面（画面５）より入力装置１から検索の条件を入力し、検索を実行すると、検索結果が表示される（画面６）。この画面では、発着信日記憶領域１１に保存されている日時を基に、長期間使用されていない電話帳データ８は表示されない。
【００５４】
ここで、検索結果に対して、各種操作を行うための機能メニュー画面を表示し（画面７）、古いデータのみを検索する機能を選択・実行することにより、検索条件に一致しかつ長期間使用されていない電話帳データ８のみが表示される（画面８）。
【００５５】
長期間使用されていない電話帳データ８が表示された後、再度機能メニュー画面（画面９）を表示し、全件削除を選択・実行する（「４．全件削除」を選択）ことにより、長期間使用していない電話帳データを削除する。全件削除の結果、長期間使用していない電話帳データがないことが通知される（画面１０）。
【００５６】
本実施例によれば、長期間使用されていない電話帳データ８を検索し、削除することが可能となり、容易に、電話帳データの整理を行うことができる。
【００５７】
なお、前記第１の実施例における、長期間使用していない電話帳データを検索対象としない機能と、第２の実施例の検索機能における長期間使用していない電話帳データのみを検索対象する機能とを一つの携帯電話機で、切り替えて実行するようにしてもよいことは勿論である。
【００５８】
なお、本発明において通信端末装置として、携帯電話機（セルラーフォン）を例に説明したが、ＰＨＳ端末であってもよく、またＩＰ（Ｉｎｔｅｒｎｅｔ  Ｐｒｏｔｏｃｏｌ）電話により電話通信を行う通信端末装置（例えばモバイル型パソコン、ＰＤＡ（Ｐｅｒｓｏｎａｌ  Ｄｉｇｉｔａｌ  Ａｓｓｉｓｔａｎｔ））等における電話帳の管理に適用してもよいことは勿論である。
【００５９】
以上、本発明を上記実施例に即して説明したが、本発明は、上記実施例の構成にのみ限定されるものでなく、本発明の原理の範囲内で当業者であればなし得るであろう各種変形、修正を含むことは勿論である。
【００６０】
【発明の効果】
以上説明したように、本発明によれば、電話帳の検索結果を表示する際、検索結果の件数を削減する機能を具備しており、電話番号の検索を容易化する、という効果を奏する。本発明によれば、検索結果の件数を削減させることで、検索結果の一覧性が向上し、目的の電話番号を探し出すことを容易化し、さらに、長期間使用していない電話帳データを選択的に表示して一括削除することもでき、操作性、利便性を向上している。
【図面の簡単な説明】
【図１】本発明の一実施例の構成を示す図である。
【図２】本発明の一実施例の動作を説明するための流れ図である。
【図３】本発明の一実施例の動作を説明するための流れ図である。
【図４】本発明の一実施例の検索操作における画面の推移を説明するための図である。
【図５】本発明の他の実施例の動作を説明するための流れ図である。
【図６】本発明の他の実施例の検索操作における画面の推移を説明するための図である。
【図７】従来の携帯電話機での検索操作における画面の推移を説明するための図である。
【符号の説明】
１  入力装置
２  出力装置
３  通信装置
４  電話帳処理手段
５  通信処理手段
６  データ処理装置
７  データ記憶装置
８  電話帳データ
９  電話番号記憶領域
１０  名前記憶領域
１１  発着信日記憶領域
１２  時計
【図１】
2004357142.tif 000003
【図２】
2004357142.tif 000004
【図３】
2004357142.tif 000005
【図４】
2004357142.tif 000006
【図５】
2004357142.tif 000007
【図６】
2004357142.tif 000008
【図７】
2004357142.tif 000009